【手続補正書】
【提出日】平成25年12月17日(2013.12.17)
【手続補正１】
【補正対象書類名】明細書
【補正対象項目名】０００９
【補正方法】変更
【補正の内容】
【０００９】
上記課題を解決するための本発明の記録装置は、第１の種類の液体と前記第１の種類の液体の記録媒体上での接触角より前記記録媒体上での接触角が小さく、色材を含む第２の種類の液体とを少なくとも含む複数種類の液体を吐出する記録ヘッドを、記録媒体の所定領域に対して複数回走査させて前記記録ヘッドから前記複数種類の液体を前記所定領域に対して吐出して画像を記録する記録装置であって、前記複数回の走査で前記所定領域に対して吐出する前記第１の種類の液体と前記第２の種類の液体とのそれぞれの吐出量に関わる情報を取得する取得手段と、前記取得手段によって取得された前記情報に応じて、前記情報が示す前記第１の種類の液体の吐出量が前記情報が示す前記第２の種類の液体の吐出量より所定値を超えて小さい場合には、前記第１の種類の液体について、前記複数回の走査のうちの後半の走査で吐出される割合が前半の走査で吐出される割合より高くなり、前記情報が示す前記第２の種類の液体の吐出量が前記情報が示す前記第１の種類の液体の吐出量より所定値を超えて大きい場合には、前記第２の種類の液体について、前記複数回の走査のうちの後半の走査で吐出される割合が前半の走査で吐出される割合より高くなるように制御する制御手段と、を有することを特徴とする。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
また、上記課題を解決するための本発明の記録方法は、第１の種類の液体と前記第１の種類の液体の記録媒体上での接触角より前記記録媒体上での接触角が小さい第２の種類の液体とを少なくとも含む複数種類の液体を吐出する記録ヘッドを、記録媒体の所定領域に対して複数回走査させて前記記録ヘッドから前記複数種類の液体を前記所定領域に対して吐出して画像を記録する記録方法であって、前記複数回の走査で前記所定領域に対して吐出する前記第１の種類の液体と前記第２の種類の液体とのそれぞれの吐出量に関わる情報を取得する取得工程と、前記取得工程によって取得された前記情報に応じて、前記情報が示す前記第１の種類の液体の吐出量が前記情報が示す前記第２の種類の液体の吐出量より所定値を超えて小さい場合には、前記第１の種類の液体について、前記複数回の走査のうちの後半の走査で吐出される割合が前半の走査で吐出される割合より高くなり、前記情報が示す前記第２の種類の液体の吐出量が前記情報が示す前記第１の種類の液体の吐出量より所定値を超えて大きい場合には、前記第２の種類の液体について、前記複数回の走査のうちの後半の走査で吐出される割合が前半の走査で吐出される割合より高くなるように制御する制御工程と、を有することを特徴とする。
【手続補正４】
【補正対象書類名】明細書
【補正対象項目名】００１２
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
第１の種類の液体と前記第１の種類の液体の記録媒体上での接触角より前記記録媒体上での接触角が小さく、色材を含む第２の種類の液体とを少なくとも含む複数種類の液体を吐出する記録ヘッドを、記録媒体の所定領域に対して複数回走査させて前記記録ヘッドから前記複数種類の液体を前記所定領域に対して吐出して画像を記録する記録装置であって、
前記複数回の走査で前記所定領域に対して吐出する前記第１の種類の液体と前記第２の種類の液体とのそれぞれの吐出量に関わる情報を取得する取得手段と、
前記取得手段によって取得された前記情報に応じて、前記情報が示す前記第１の種類の液体の吐出量が前記情報が示す前記第２の種類の液体の吐出量より所定値を超えて小さい場合には、前記第１の種類の液体について、前記複数回の走査のうちの後半の走査で吐出される割合が前半の走査で吐出される割合より高くなり、前記情報が示す前記第２の種類の液体の吐出量が前記情報が示す前記第１の種類の液体の吐出量より所定値を超えて大きい場合には、前記第２の種類の液体について、前記複数回の走査のうちの後半の走査で吐出される割合が前半の走査で吐出される割合より高くなるように制御する制御手段と、
を有することを特徴とする記録装置。
【請求項２】
前記制御手段は、前記第１の種類の液体および前記第２の種類の液体それぞれを吐出させるためのデータを前記記録ヘッドの複数回の走査用のデータに分割するための、前記第１の種類の液体および前記第２の種類の液体に対応するマスクパターンを用いて前記第１の種類の液体および前記第２の種類の液体の吐出を制御することを特徴とする請求項１に記載の記録装置。
【請求項３】
前記第１の種類の液体は、画像の性能を向上させる特性を有する樹脂を含有するインクであり、前記第２の種類の液体は、前記樹脂を含有していないか、または、前記第１の種類の液体が含有する前記樹脂よりも少ない含有率で前記樹脂を含むインクであることを特徴とする請求項１または２に記載の記録装置。
【請求項４】
前記第１の種類の液体は、前記複数種類の液体により記録される画像の性能を向上させる特性を有する透明な処理液であることを特徴とする請求項１または２に記載の記録装置。
【請求項５】
前記第１の種類の液体と前記第２の種類の液体とは色が異なることを特徴とする請求項１から４のいずれか一項に記載の記録装置。
【請求項６】
前記複数回は偶数回であることを特徴とする請求項１から５のいずれか一項に記載の記録装置。
【請求項７】
前記制御手段は、前記情報が示す前記第１の種類の液体の吐出量が前記情報が示す前記第２の種類の液体の吐出量より前記所定値を超えて小さい場合には、前記第１の種類の液体について、前記複数回の走査のうちの前半の走査では吐出を許容せず、前記情報が示す前記第２の種類の液体の吐出量が前記情報が示す前記第１の種類の液体の吐出量より前記所定値を超えて大きい場合には、前記第２の種類の液体について、前記複数回の走査のうちの前半の走査では吐出を許容しないことを特徴とする請求項１から６のいずれか一項に記載の記録装置。
【請求項８】
前記制御手段は、前記情報が示す前記第１の種類の液体の吐出量が前記情報が示す前記第２の種類の液体の吐出量より前記所定値を超えて小さくなく、かつ、前記情報が示す前記第２の種類の液体の吐出量が前記情報が示す前記第１の種類の液体の吐出量より所定値を超えて小さくない場合には、前記第１の種類の液体と前記第２の種類の液体とについて、前記複数回の走査のうちの前半の走査と後半の走査とで共に吐出を許容することを特徴とする請求項１から７のいずれか一項に記載の記録装置。
【請求項９】
前記第２の種類の液体はシアンインクまたはマゼンタインクであり、前記第１の種類の液体は前記第２の種類の液体と同じ色相の色であり、インク中の色材の濃度が前記第２の種類の液体中の色材の濃度より小さいインクであることを特徴とする請求項１から３および５から８のいずれか一項に記載の記録装置。
【請求項１０】
第１の種類の液体と前記第１の種類の液体の記録媒体上での接触角より前記記録媒体上での接触角が小さい第２の種類の液体とを少なくとも含む複数種類の液体を吐出する記録ヘッドを、記録媒体の所定領域に対して複数回走査させて前記記録ヘッドから前記複数種類の液体を前記所定領域に対して吐出して画像を記録する記録方法であって、
前記複数回の走査で前記所定領域に対して吐出する前記第１の種類の液体と前記第２の種類の液体とのそれぞれの吐出量に関わる情報を取得する取得工程と、
前記取得工程によって取得された前記情報に応じて、前記情報が示す前記第１の種類の液体の吐出量が前記情報が示す前記第２の種類の液体の吐出量より所定値を超えて小さい場合には、前記第１の種類の液体について、前記複数回の走査のうちの後半の走査で吐出される割合が前半の走査で吐出される割合より高くなり、前記情報が示す前記第２の種類の液体の吐出量が前記情報が示す前記第１の種類の液体の吐出量より所定値を超えて大きい場合には、前記第２の種類の液体について、前記複数回の走査のうちの後半の走査で吐出される割合が前半の走査で吐出される割合より高くなるように制御する制御工程と、
を有することを特徴とする記録方法。
【請求項１１】
前記制御工程は、前記第１の種類の液体および前記第２の種類の液体それぞれを吐出させるためのデータを前記記録ヘッドの複数回の走査用のデータに分割するための、前記第１の種類の液体および前記第２の種類の液体に対応するマスクパターンを用いて前記第１の種類の液体および前記第２の種類の液体の吐出を制御することを特徴とする請求項１０に記載の記録方法。
【請求項１２】
前記第１の種類の液体は、画像の性能を向上させる特性を有する樹脂を含有するインクであり、前記第２の種類の液体は、前記樹脂を含有していないか、または、前記第１の種類の液体が含有する前記樹脂よりも少ない含有率で前記樹脂を含むインクであることを特徴とする請求項１０または１１に記載の記録方法。
【請求項１３】
前記第１の種類の液体は、前記複数種類の液体により記録される画像の性能を向上させる特性を有する透明な処理液であることを特徴とする請求項１０または１１に記載の記録方法。
【請求項１４】
前記第１の種類の液体と前記第２の種類の液体とは色が異なることを特徴とする請求項１０から１３のいずれか一項に記載の記録方法。
【請求項１５】
前記複数回は偶数回であることを特徴とする請求項１０から１４のいずれか一項に記載の記録方法。
【請求項１６】
前記制御工程は、前記情報が示す前記第１の種類の液体の吐出量が前記情報が示す前記第２の種類の液体の吐出量より前記所定値を超えて小さい場合には、前記第１の種類の液体について、前記複数回の走査のうちの前半の走査では吐出を許容せず、前記情報が示す前記第２の種類の液体の吐出量が前記情報が示す前記第１の種類の液体の吐出量より前記所定値を超えて大きい場合には、前記第２の種類の液体について、前記複数回の走査のうちの前半の走査では吐出を許容しないことを特徴とする請求項１０から１５のいずれか一項に記載の記録方法。
【請求項１７】
前記制御工程は、前記情報が示す前記第１の種類の液体の吐出量が前記情報が示す前記第２の種類の液体の吐出量より前記所定値を超えて小さくなく、かつ、前記情報が示す前記第２の種類の液体の吐出量が前記情報が示す前記第１の種類の液体の吐出量より所定値を超えて小さくない場合には、前記第１の種類の液体と前記第２の種類の液体とについて、前記複数回の走査のうちの前半の走査と後半の走査とで共に吐出を許容することを特徴とする請求項１０から１６のいずれか一項に記載の記録方法。
【請求項１８】
前記第２の種類の液体はシアンインクまたはマゼンタインクであり、前記第１の種類の液体は前記第２の種類の液体と同じ色相の色であり、インク中の色材の濃度が前記第２の種類の液体中の色材の濃度より小さいインクであることを特徴とする請求項１０から１２および１４から１７のいずれか一項に記載の記録方法。